(57)【要約】【課題】それぞれ適切なサイズが異なる複数の出力装置にＸ線画像を出力する場合の操作性を向上するＸ線撮影装置を提供する。【解決手段】被検者のＸ線撮影画像を取得し、Ｘ線撮影画像を複数の出力装置へ出力するＸ線撮影装置は、Ｘ線撮影画像から照射野領域を抽出し、抽出された照射野領域の範囲またはＸ線撮影画像からユーザにより選択された部分範囲のいずれかを第一の出力装置への出力範囲に決定する。また、Ｘ線撮影装置は、第一の出力装置への出力範囲のサイズと、第二の出力装置に出力する画像サイズとを比較し、第一の出力装置への出力範囲のサイズが画像サイズ以下の場合は、第一の出力装置への出力範囲を第二の出力装置の出力範囲に決定する。一方、第一の出力装置への出力範囲が画像サイズより大きい場合は、第一の出力装置の出力範囲から画像サイズに相当する範囲を切り出して第二の出力装置の出力範囲に決定する。【選択図】図９
2012055491.tif 000002
【特許請求の範囲】
【請求項１】
被検者のＸ線撮影画像を取得し、前記Ｘ線撮影画像を複数の出力装置へ出力するＸ線撮影装置であって、
前記Ｘ線撮影画像から照射野領域を抽出する抽出手段と、
前記抽出手段で抽出された照射野領域の範囲または前記Ｘ線撮影画像からユーザにより選択された部分範囲を第一の出力装置への出力範囲に決定する第一決定手段と、
前記第一の出力装置への出力範囲のサイズと、第二の出力装置に出力する画像サイズとを比較する比較手段と、
前記第一の出力装置への出力範囲のサイズが前記画像サイズ以下の場合は、前記第一の出力装置への出力範囲を前記第二の出力装置の出力範囲に決定し、前記第一の出力装置への出力範囲が前記画像サイズより大きい場合は、前記第一の出力装置の出力範囲から前記画像サイズに相当する範囲を切り出して前記第二の出力装置の出力範囲に決定する第二決定手段とを備えることを特徴とするＸ線撮影装置。
【請求項２】
前記第一の出力装置への出力範囲の大きさを設定する設定手段を更に備え、
前記第一決定手段は、前記照射野領域の大きさが前記設定手段で設定された出力範囲の大きさ以下の場合には前記照射野領域の全範囲を、前記照射野領域の大きさが前記設定手段で設定された出力範囲より大きい場合には前記照射野領域から当該出力範囲の大きさの部分を切り出して得られた部分範囲を、前記照射野領域の範囲として用いることを特徴とする請求項１に記載のＸ線撮影装置。
【請求項３】
前記第一の出力装置はストレージであり、前記第二の出力装置はプリンタであることを特徴とする請求項１または２に記載のＸ線撮影装置。
【請求項４】
Ｘ線撮影を行う撮影部位を指定する指定手段を更に備え、
前記第二決定手段が、前記第一の出力装置の出力範囲から前記画像サイズに相当する範囲を切り出す際の切り出し位置が、撮影部位に応じて設定されていることを特徴とする請求項１乃至３のいずれか１項に記載のＸ線撮影装置。
【請求項５】
前記第二決定手段が、前記第一の出力装置の出力範囲から前記画像サイズに相当する範囲を切り出す際の切り出し位置を設定する切り出し位置設定手段を更に備えることを特徴とする請求項１乃至４のいずれか１項に記載のＸ線撮影装置。
【請求項６】
前記第一決定手段が、前記照射野領域から前記出力範囲の大きさの部分を切り出す際の切り出し位置をユーザに設定させる手段を更に備えることを特徴とする請求項２に記載のＸ線撮影装置。
【請求項７】
被検者のＸ線撮影画像を取得し、前記Ｘ線撮影画像を複数の出力装置へ出力するＸ線撮影装置のＸ線画像出力方法であって、
抽出手段が、前記Ｘ線撮影画像から照射野領域を抽出する抽出工程と、
第一決定手段が、前記抽出工程で抽出された照射野領域の範囲または前記Ｘ線撮影画像からユーザにより選択された部分範囲を第一の出力装置への出力範囲に決定する第一決定工程と、
比較手段が、前記第一の出力装置への出力範囲のサイズと、第二の出力装置に出力する画像サイズとを比較する比較工程と、
第二決定手段が、前記第一の出力装置への出力範囲のサイズが前記画像サイズ以下の場合は前記第一の出力装置への出力範囲を前記第二の出力装置の出力範囲に決定し、前記第一の出力装置への出力範囲が前記画像サイズより大きい場合は前記第一の出力装置の出力範囲から前記画像サイズに相当する範囲を切り出して前記第二の出力装置の出力範囲に決定する第二決定工程とを有することを特徴とするＸ線画像出力方法。
【請求項８】
コンピュータを、請求項１乃至６のいずれか１項に記載されたＸ線撮影装置の各手段として機能させるためのプログラム。
【発明の詳細な説明】
【技術分野】
【０００１】
本発明は、被検者の撮影画像を撮影するＸ線撮影装置に関する。特に、複数の出力デバイスに出力する際のＸ線撮影画像のサイズを適切に制御するＸ線撮影装置及びＸ線画像出力方法に関する。
【背景技術】
【０００２】
医療診断を目的としたＸ線撮影装置としては、Ｘ線検出部に増感紙とフィルムを組み合わせたＸ線写真方式に代わって、Ｘ線画像をデジタル的に検出・生成する手法が普及してきている。代表的な方式の一つに、検出デバイスにフラットパネルセンサを使ったデジタルＸ線撮影装置がある。フラットパネルセンサを使ったデジタルＸ線撮影装置におけるＸ線画像取得方法には、
・Ｘ線に対して感度を持ち、検出したＸ線の強度に応じた電気信号に変換・出力する固体撮像素子を利用し、これら固体素子からのアナログ信号をＡ／Ｄ変換によってデジタル化して取り込む方法と、
・Ｘ線のエネルギーを吸収しそれに応じた強度の蛍光を発する蛍光体と、可視光に感度を持ちその強度に応じた電気信号に変換する光電変換素子を組み合わせ、これら光電変換素子からのアナログ信号をＡ／Ｄ変換によってデジタル化して取り込む方法とがある。
【０００３】
この様な、デジタルＸ線撮影装置は、Ｘ線透過線量に応じた電気量を検出しデジタル量に変換する検出デバイスを含む検査モジュールと、この検査モジュール及びＸ線発生装置を制御する為の制御装置とで構成される。制御装置は取り込んだ画像に、各種補正処理や画像処理を施して、医師が診断に用いるためのＸ線デジタル画像を生成する。生成されたデジタル画像は、必要に応じてプリンタからフィルムに出力されたり、ストレージに送られた後モニターに表示されたりして、医師により観察される。
【先行技術文献】
【特許文献】
【０００４】
【特許文献１】特開２０００-１１５５１３号公報
【特許文献２】特開２００６-２９６９５４号公報
【発明の概要】
【発明が解決しようとする課題】
【０００５】
しかしながら、フィルムの大きさは予め決まっているので、被検者の身長や体形によっては、画像の中の観察領域がフィルムに収まりきらない場合がある。このような場合、特許文献１に記載されているように、フィルムの向きを変えたり、観察領域の必要な領域がフィルム内に収まるように切り出し処理を行ったり、フィルムに入るように観察領域全体を縮小したりしている。これらのうち、観察領域全体をフィルムにあわせて縮小する方法は、観察領域の大きさに応じて縮小率が異なってしまうため、診断しにくく誤診につながるため、一般的に行われていない。診断に供する場合は、センサ上の画像をそのままの大きさで出力するライフサイズ出力か、一定の縮小率で出力する固定縮小率出力のどちらかの出力モードが使われている。
【０００６】
これらの出力モードにおいて、フィルムの向きを変えても観察領域がフィルムに入りきらない場合は、観察領域から必要な領域を切り出して、プリンタ及び診断用画像処理ワークステーションのストレージに出力していた。しかし、このような方法では、ストレージに出力される画像サイズがプリンタの出力サイズに制限されてしまい、後で読影ワークステーション上から画像を呼び出した時に、観察領域全体の画像は得られなくなる。そのため、切り出した領域以外に参考になる診断ポイントがあった場合には、それを見逃す恐れがあった。このような課題を解決するためには、プリンタに画像を出力した後、再び画像を呼び出して、画像サイズを変更して、ストレージに出力し直さなければならない。したがって、操作が煩雑になり作業効率が落ちてしまう。
【０００７】
また、特許文献２には、ストレージへは照射野領域を、プリンタへは切り出しを行った画像をそれぞれ出力することが記載されている。しかしながら、特許文献２では、ストレージ及びプリンタの両方に適切な切り出し調整を行うことは示されていない。画像ビューワの仕様によって画像サイズが決まっていたり、またフィット表示モードしかできなかったりする場合には、ストレージであっても出力サイズが限定される場合がある。そのような場合、特許文献２のようにストレージへ出力する画像に関して切り出し調整ができないと、当該ストレージへの出力がエラーになって出力できないという課題があった。なお、フィット表示とは、予め決められた画像表示領域に、表示画像の縦横比を保ちながら最大に表示することである。
【０００８】
本発明は、上記の課題に鑑みてなされたものであり、それぞれ適切な画像サイズが異なる複数の出力装置にＸ線画像を出力する場合の操作性を向上することを目的とする。
【課題を解決するための手段】
【０００９】
上記の目的を達成するための本発明の一態様によるＸ線画像撮影装置は以下の構成を備える。すなわち、
被検者のＸ線撮影画像を取得し、前記Ｘ線撮影画像を複数の出力装置へ出力するＸ線撮影装置であって、
前記Ｘ線撮影画像から照射野領域を抽出する抽出手段と、
前記抽出手段で抽出された照射野領域の範囲または前記Ｘ線撮影画像からユーザにより選択された部分範囲を第一の出力装置への出力範囲に決定する第一決定手段と、
前記第一の出力装置への出力範囲のサイズと、第二の出力装置に出力する画像サイズとを比較する比較手段と、
前記第一の出力装置への出力範囲のサイズが前記画像サイズ以下の場合は、前記第一の出力装置への出力範囲を前記第二の出力装置の出力範囲に決定し、前記第一の出力装置への出力範囲が前記画像サイズより大きい場合は、前記第一の出力装置の出力範囲から前記画像サイズに相当する範囲を切り出して前記第二の出力装置の出力範囲に決定する第二決定手段とを備える。
【発明の効果】
【００１０】
本発明によれば、それぞれ適切なサイズが異なる複数の出力装置にＸ線画像を出力する場合の操作性が向上する。
【図面の簡単な説明】
【００１１】
【図１】Ｘ線デジタル撮影システムの構成例を示す図。
【図２】ライフサイズ出力を説明した図。
【図３】センサとプリンタの有効サイズの関係を示した図。
【図４】撮影準備画面の一例を示す図。
【図５】第１実施形態による出力サイズ設定画面の一例を示す図。
【図６】ストレージ出力範囲の変更画面の一例を示す図。
【図７】プリンタ出力範囲の変更画面の一例を示す図。
【図８】画像の切り出し位置を説明する図。
【図９】第１実施形態によるＸ線撮影装置の構成例を示すブロック図。
【図１０】第１実施形態による画像出力範囲の決定処理を示すフローチャート。
【図１１】センサの有効サイズ、ライフサイズでのフィルムサイズ、及び所定縮小率のフィルムサイズの関係を説明する図。
【図１２】第２実施形態による出力サイズ設定画面の一例を示す図。
【図１３】第２実施形態によるＸ線撮影装置の構成例を示すブロック図。
【図１４】第２実施形態による画像出力範囲の決定処理を示すフローチャート。
【発明を実施するための形態】
【００１２】
以下、添付の図面を参照して、本発明の実施形態について詳細に説明する。
【００１３】
［第１実施形態］
図１は、本発明が適用された第１実施形態によるＸ線撮影システム１００の構成例を示す図である。本実施形態では、Ｘ線撮影システム１００は、Ｘ線撮影装置（Ｘ線発生装置制御部１００１、Ｘ線検出装置１００３、Ｘ線撮影制御装置１００６、簡易画像表示装置１００７を含む）がネットワーク１１０に接続された構成となっている。これにより、Ｘ線撮影装置は、ネットワーク１１０に接続された複数の出力装置へＸ線撮影画像を出力する。複数の出力装置としては、本実施形態では、第一の出力装置としてのストレージ１００９と第二の出力装置としてのプリンタ１００８が接続されている。
【００１４】
Ｘ線撮影システム１００は、Ｘ線を発生するＸ線管球１０００、Ｘ線管球の前に位置して、不要なＸ線を放射させないようにするＸ線照射野絞り１００２、Ｘ線管球１０００を制御するＸ線発生装置制御部１００１を有する。なお、Ｘ線発生装置制御部１００１には不図示の操作卓が設けられている。更に、Ｘ線撮影システム１００において、Ｘ線検出装置１００３は、フラットパネルセンサを具備し、Ｘ線管球１０００から放射され被検者１００４を透過したＸ線を検出する。Ｘ線撮影制御装置１００６は、Ｘ線検出装置１００３を制御してデジタル画像信号を取得し、該デジタル画像信号に所定の画像処理を行って画像表示やプリント等の画像出力を行う。簡易画像表示装置１００７は、例えば液晶パネルとタッチセンサで構成され、Ｘ線撮影画像を表示するとともに、Ｘ線画像撮影装置の操作や画像サイズの変更設定やメッセージとシーケンス状態の表示を行う。すなわち、簡易画像表示装置１００７は、Ｘ線撮影制御装置の操作卓の表示を兼ねる。
【００１５】
Ｘ線発生装置制御部１００１は、図示していない操作卓ないしＸ線撮影制御装置１００６から送られてきた管電流や管電圧、照射時間等の撮影条件に応じて、Ｘ線管球１０００に高電圧をかけてＸ線を発生させる。Ｘ線検出装置１００３は、Ｘ線を検出してデジタル画像を得るためのＸ線検出器と、人体への被曝を極力小さくし、かつ撮影装置が必要な放射線量を適切に照射するためのＡＥＣ装置、散乱線を除去するグリッド、Ａ／Ｄ変換器から構成されている。なお、Ｘ線検出器はフラットパネルセンサを具備するが、本実施形態のフラットパネルセンサは、Ｘ線を光に変換するシンチレーターと光の強さに応じた電気信号を発生する固体撮像素子で構成されている。
【００１６】
Ｘ線検出装置１００３において、Ｘ線管球１０００より入射されたＸ線のうち、被検者１００４で発生した散乱Ｘ線がグリッドで除去される。グリッドを透過したＸ線は、シンチレーターで光に変換され、固体撮像素子で光の強さに応じた電気信号が発生する。発生した電気信号は、Ａ／Ｄ変換器によりデジタル値に変換され、デジタルＸ線画像が得られる。ＡＥＣ装置は、グリッドとＸ線検出器の間に配置されて、被検者１００４およびグリッドを透過してきた放射線の一部を検出してＡＥＣ信号を生成し、このＡＥＣ信号をＸ線発生装置制御部１００１へ転送する。Ｘ線発生装置制御部１００１では、転送されてきたＡＥＣ信号を積算し、その積算値が閾値を超過すると放射線発生信号をＯＦＦにして、Ｘ線管球１０００からの放射線の発生を停止する。このようにして、ＡＥＣ装置は放射線量を適切に制御する。
【００１７】
ネットワーク１１０には、ＨＩＳ（病院内情報システム）、ＲＩＳ（放射線科情報システム）、およびＰＡＣＳ（画像保存通信システム）が接続されている。撮影により得られたＸ線画像は、ネットワーク１１０に接続されているプリンタ１００８とストレージ１００９に出力される。また、ネットワーク１１０には、診断画像処理用ワークステーション１０１０とその高精細モニタ１０１１もつながっている。また、診断画像処理用ワークステーション１０１０には、画像ビューワと呼ばれる、医師が画像診断を行うためのアプリケーションが搭載されている。
【００１８】
図２は、Ｘ線撮影画像を原寸大で出力するライフサイズ出力を説明した図である。Ｘ線検出装置１００３のフラットパネルセンサ（以下、センサという）とプリンタ１００８について、以下の条件でのライフサイズ出力を考えてみる。
・センサのピクセルピッチが１６０（μｍ）
・センサの有効画素数が２６８８×２６８８
・プリンタのピクセルピッチが８０（μｍ）
・プリンタの有効画素数が４２６８×５１０８
【００１９】
センサの１つの画素に対して、プリンタ１００８の４つの画素を対応させると、センサとプリンタ１００８の画素の大きさが一致するため、センサ上の画像をプリンタ１００８でライフサイズ出力できる。この場合のように、プリンタの画素ピッチとセンサの画素ピッチの関係が整数倍になっていれば、正しく原寸大のサイズで出力ができるが整数倍の関係になっていない場合は、原寸大での出力とはならない。たとえば、プリンタの画素ピッチが７８μｍの場合、センサにおける１つの画素に対して、プリンタの４つの画素を対応させると、原寸大よりも約５％（100-78^2/80^2×100=4.94）小さく表示されることになる。このような場合でも、医療分野では、センサで検出した所望の領域の画素情報全てを欠落することなく表示することが重要なため、ライフサイズ出力という。
【００２０】
図３は、センサとプリンタ１００８の夫々の有効サイズの関係を示した図である。センサの有効サイズとは、センサの有効画素領域の大きさことで、プリンタの有効サイズとは、プリンタ１００８の有効画素領域の大きさのことである。センサの画素ピッチが１６０（μｍ）、有効画素数が２６８８×２６８８、プリンタ１００８の画素ピッチが８０（μｍ）、有効画素数が４２６８×５１０８としている。センサとプリンタ１００８の夫々について画素ピッチと有効画素数を掛け合わせると有効サイズを計算することができ、
・センサの有効サイズ４３０．０８（ｍｍ）×４３０．０８（ｍｍ）、
・プリンタの有効サイズ４０８．６４（ｍｍ）×３４１．４４（ｍｍ）
となる。
本例の場合、センサの有効サイズよりもプリンタ１００８の有効サイズの方が小さいことになり、ライフサイズ出力を行う時には、センサ全面の情報をプリンタで出力することはできない。
【００２１】
図４は、簡易画像表示装置１００７に表示された、撮影準備を行う画面の一例を示す図である。図４において、患者情報表示部２０１は、患者の氏名、ＩＤ、性別、生年月日など患者情報を表示する領域である。撮影条件表示部２０２は、管電流、管電圧、照射時間、患者−管球間距離などの撮影条件を表示する領域である。患者情報は患者ボタン２０８を押下して不図示の患者情報入力ウインドウを呼び出し、これを使って入力する。撮影条件は各撮影方法に対してプリセットされており、撮影方法選択ボタン２０３を押下することで自動的に設定される。
【００２２】
撮影方法選択ボタン２０３は状態維持ボタンで、一度押下するとキャンセルされるまでボタンが凹んだ状態になっており、選択された撮影方法が分かるようになっている。この図では、「胸部  正面」が選択されている。なお、図示の例では、「胸部  正面」「胸部  側面」「頚椎  正面」「頚椎  側面」のいずれかを選択できることが示されているが、これに限られるものではない。また、「腹部  正面」といったような、新たな撮影方法を操作者が登録したり、使用しない撮影方法を削除したりできるようにしても良い。また、撮影方法選択ボタン２０３の各々には、撮影部位の撮影条件、ＡＥＣ領域の設定、画像処理パラメータや補正処理の設定や画像サイズが出力媒体に依存する出力サイズより大きい場合の切り出し位置がプリセットされている。また、絞りや焦点サイズなどＸ線発生装置の設定、画像サイズが出力媒体に依存する出力サイズより大きい場合の切り出し位置（後述）なども、撮影方法選択ボタン２０３の各々（すなわち、撮影部位の各々）にプリセットされている。
【００２３】
パラメータ変更ボタン２０４は、選択されている撮影方法選択ボタン２０３に設定されているパラメータを変更するためのウインドウを呼び出すためのボタンである。状態、メッセージ表示部２０５には、メッセージやシステムの状態が表示される。切り出し位置２０６は、照射野または操作者が切り出した画像サイズが出力媒体に依存する出力サイズより大きい場合に、画像サイズのどの領域を切り出すかを決定する切り出し位置の設定状態を示す。切り出し位置は、画像の全領域と切り出される領域との相対的な位置関係を示し、本例では、図８のように、左上合わせ、左中央合わせ、左下合わせ、上合わせ、中央合わせ、下合わせ、右上合わせ、右下中央合わせ、右下合わせの９通りの１つが設定される。図８は、照射野または操作者が切り出した画像サイズが出力装置に依存する出力サイズより大きい場合にその画像サイズのどの領域を切り出すかを示す切り出し位置の設定を示す図である。
【００２４】
なお、図８に示された切り出し位置は、以下の通りである。
左上合わせ：画像領域と出力範囲の左上を一致させる。
上合わせ：画像領域と出力範囲の上端中央を一致させる。
右上合わせ：画像領域と出力範囲の右上を一致させる。
左中央合わせ：画像領域と出力範囲の左端中央を一致させる。
中央合わせ：画像領域と出力範囲の中央を一致させる。
右中央上合わせ：画像領域と出力範囲の右端中央を一致させる。
左下合わせ：画像領域と出力範囲の左下を一致させる。
下合わせ：画像領域と出力範囲の下端中央を一致させる。
右下合わせ：画像領域と出力範囲の右下を一致させる。
【００２５】
通常は、注目部位が中央にくるように撮影を行うので、多くの撮影では「中央合わせ」が選択される。しかしながら、たとえば、立位胸部撮影のように上部の顎あてに顎を載せて撮影をする場合は、上端が基準となっていて、また、肩直下の肺に病変が多いこともあり「上合わせ」の方が好適である。更に、患者の容体により撮影台の端にしかポジショニングができない場合は、左上合わせ、左中央合わせ、左下合わせ、右上合わせ、右下中央合わせ、右下合わせから適宜選択される。また、装置の設置場所によってポジショニングが端に限定されるような場合もある。このような場合でも左上合わせ、左中央合わせ、左下合わせ、右上合わせ、右下中央合わせ、右下合わせから選択するとよい。従って、患者容体ボタンや、装置設置場所ボタンを設けてそれにより切り出し位置を変更できるようにしてもよい。
【００２６】
なお、照射野及び操作者が切り出した画像サイズの高さ方向のみが、フィルムサイズより大きい場合は、上、中央、下の夫々における左合わせ、右合わせ、中央合わせは同じ意味となる。画像サイズがフィルムサイズより大きい場合の切り出し位置は、撮影方法選択ボタン２０３にプリセットされている場合は、その設定値が用いられる。他方、プリセットされていない場合は、図５の切り出し位置設定ボタン３０４で当該プリンタに設定されている値（切り出し位置）が用いられる。設定ウインドウ呼び出しボタン２０７は、各種設定ウインドウを呼び出すためのボタンである。
【００２７】
図５は、設定ウインドウ呼び出しボタン２０７によって呼び出されるウインドウの１つであり、出力媒体のサイズを入力する画面である。左半分がプリンタ用の設定画面、右半分がストレージ用の設定画面である。プリンタ用の設定画面では、画素のピクセルピッチと有効フィルムサイズを画素数で入力できるようになっている。プリンタタブ３０１を切り替えることで複数のプリンタの設定が行える。プリンタの画素のピクセルピッチを、ピクセルピッチ入力ボックス３０２より、有効フィルムサイズをフィルムサイズ入力ボックス３０３よりピクセル数単位で、幅、高さの順で入力する。また、画像サイズがフィルムサイズ（プリンタの出力範囲）を超えた場合の切り出し位置を、切り出し位置設定ボタン３０４で設定する。切り出し位置設定ボタン３０４はトグルボタンになっており、ボタンを押下する毎に図８で示される９つの切り出し位置に対応したパターンが順に設定される。或いは、切り出し位置設定ボタン３０４を押下すると、図８で示される９つのパターンを選択させる設定ダイアログを別途表示させて、切り出し位置を設定できるようにしてもよい。図５に示したウインドウで設定した値は、撮影方法選択ボタン２０３に対して切り出し位置（画像サイズがフィルムサイズより大きい場合の切り出し位置）がプリセットされていない場合のデフォルト値になる。
【００２８】
上述したように、第１実施形態においては、プリンタ１００８のピクセルピッチが８０（μｍ）、有効画素数が４２６８×５１０８であるので、図５に示すような設定がなされる。また、第１実施形態においては、ストレージ１００９へは、画像サイズの制限がないため最大の出力サイズは、センサの有効画素数で決定される。センサの有効画素数２６８８×２６８８、画素ピッチが１６０μｍであるので、３０５のように表示される。ＯＫボタン３０６とキャンセルボタン３０７はそれぞれ設定を確定するボタンと設定をキャンセルするボタンである。
【００２９】
図６は、簡易画像表示装置１００７における、Ｘ線撮影画像２１２が表示された画面である。Ｘ線撮影画像２１２上のストレージ出力範囲２１７は、ストレージ１００９への出力範囲を示し、Ｘ線照射直後は照射野と等しい範囲を示している。操作者は、Ｘ線撮影画像２１２中の所望の範囲の左上と右下をクリックすることでストレージ出力範囲２１７を変更することが可能である。また、サイズをそのままに、ストレージ出力範囲２１７を移動させることも可能である。ストレージ出力範囲２１７の変更は、保存ボタン２１８を押すことで受け付けられ、ストレージ出力範囲が更新される。なお、ストレージ出力範囲２１７の変更の受付が、このような操作に限られないことはいうまでもない。また、プリンタ出力範囲を変更する場合は、ボタン２１０を押下することで、図７の画面を呼び出して変更する。
【００３０】
図７は、簡易画像表示装置１００７におけるプリンタ出力範囲変更画面を示している。図７において、ストレージ出力範囲２１７内にプリンタ出力範囲２３１が示されている。また、枠移動キー２３２を使って、プリンタ出力範囲２３１を移動したり、所望の範囲の左上と右下をクリックすることでプリンタ出力範囲２３１を変更できるが、ストレージ出力範囲を超えて変更することはできない。また、プリンタ出力範囲２３１の最大のサイズは出力するフィルムサイズであり、フィルムサイズを超えた大きさのプリンタ出力範囲２３１を設定することはできない。
【００３１】
図７の戻るボタン２３０を押すと、図６の画面表示に戻る。画像操作部２１１は、Ｘ線撮影画像２１２におけるコントラストや濃度を調整するためのユーザインターフェースである。変更ボタン２１９が押されると、調整されたコントラストや濃度のパラメータが保存され、他の画像にも適用されるようになる。撮影方法表示２１４は、撮影方法選択ボタン２０３により選択されている撮影方法（図示の例では、胸部正面２１３）を操作者に判別可能に表示する。次撮影ボタン２１５が押されると、次の撮影のためのスタンバイ状態となる。撮影終了ボタン２１６が押されると、一連の撮影動作を終了する。
【００３２】
図９は、本発明の第１実施形態のデジタルＸ線撮影システムにおけるＸ線撮影制御装置１００６のブロック図である。画像取り込み制御部４０１は、Ｘ線が曝射された後、Ｘ線検出装置１００３の有効画素領域の全てのデジタルデータを取得する。或いは、既にＸ線検出装置１００３から取得された有効画素領域のデジタル画像データをハードディスクなどの記憶媒体から取得してもよい。また、画像取り込み制御部４０１では各種補正処理も行われる。
【００３３】
次に、照射野領域抽出部４０２では、画像取り込み制御部４０１で取得したデジタル画像から、照射野絞り１００２で絞られた領域を抽出し、その座標をストレージ出力範囲情報メモリ４１１に保持する。照射野の認識方法としては、照射野絞り１００２から絞り量を得るようにしてもよいし、或いは、例えば特開２００１−３０７０６４号公報に開示されているような周知の手法で画像解析を行って照射野を認識してもよい。
【００３４】
次に画像処理部４０３において、所定の画像処理が行われ、処理後の画像は撮影画像データメモリ４１０に保持される。画像処理の一例として、医師の観察に適した階調処理や周波数処理などがある。次に、フィルムサイズ・切り出し位置入力部４０８は、図４や図５で説明したような、使用されるフィルムの有効画素領域のサイズ及びプリンタの解像度、図８で説明した切り出し位置の一つを入力する。尚、本実施形態では、フィルムの有効画素領域のサイズ、プリンタの解像度を、図４や図５で示したユーザインターフェースにより手入力しているが、これに限られるものではない。たとえば、ネットワーク１１０を介してオンラインでプリンタ１００８からフィルムの有効画素領域及びプリンタの解像度を自動的に取得するようにしてもよい。また、図５に示されるように、複数のフィルムサイズが設定できる。複数のフィルムサイズが設定されている場合には、指定された撮影方法（たとえば、胸部正面）についてプリセットされたフィルムサイズまたはそれに最も近いフィルムサイズをプリンタの出力範囲とする。或いは、設定されている複数のフィルムサイズのうち最大のフィルムサイズをプリンタの出力範囲とする。フィルムサイズ・切り出し位置入力部４０８は、入力したフィルムサイズや切り出し位置を、フィルムサイズ・切り出し位置保持メモリ４０９に保存する。
【００３５】
ストレージ出力範囲変更部４０４では、図６に示した画面においてストレージ出力範囲２１７の変更を行い、変更したストレージ出力範囲２１７の座標をストレージ出力範囲情報メモリ４１１へ保持する。プリンタ出力範囲判定部４０５は、ストレージ出力範囲２１７とフィルムサイズを比較して、ストレージ出力範囲２１７の方が大きかった場合は、フィルムサイズ・切り出し位置保持メモリ４０９に保持されている切り出し位置を用いて切り出しを行う。次に、切り出されたフィルム出力範囲の座標をプリンタ出力範囲情報メモリ４１２に保持する。プリンタ出力範囲変更部４０６は、図７に示したプリンタ出力範囲変更画面によって、プリンタ出力範囲２３１を変更し、変更後のプリンタ出力範囲２３１の座標はプリンタ出力範囲情報メモリ４１２に保持される。また、画像出力部４０７は、撮影画像データメモリ４１０とストレージ出力範囲情報メモリ４１１、プリンタ出力範囲情報メモリ４１２を用いて、ストレージ１００９とプリンタ１００８のそれぞれに出力する画像を生成し、出力する。
【００３６】
以下、図１〜図９を参照して、本実施形態の処理について説明する。
操作者である放射線技師や医師が撮影を行う前に、出力媒体のサイズの設定をしておく。図４の撮影準備画面から設定ウインドウ呼び出しボタン２０７を押して、図５のような出力サイズ設定画面を呼ぶ。出力サイズ設定画面において、出力するプリンタのフィルムサイズ、ピクセルピッチと画像サイズがフィルムサイズを超えた場合の切り出し位置を設定する。これらの設定値は、フィルムサイズ・切り出し位置保持メモリ４０９に記録される。また、画像サイズがフィルムサイズを超えた場合の切り出し位置に関しては、パラメータ変更ボタン２０４を押すことにより呼び出されるパラメータ変更ウインドウ（不図示）を用いて、適宜、撮影方法選択ボタン２０３ごとに操作者が設定しておく。
【００３７】
操作者である放射線技師や医師は、図４で示される撮影準備画面で、患者情報と、撮影方法を決定する。患者情報は、患者ボタン２０８を押すことにより呼び出される患者入力画面（不図示）から入力する。あるいは、患者情報は、入力業務効率化や誤入力防止のため、図示していない磁気カードやバーコードから入力されたり、ネットワーク１１０を介して病院内情報システム（ＨＩＳ）や放射線情報システム（ＲＩＳ）から入力されるようにしてもよい。入力された患者情報は、患者情報表示部２０１に表示される。
【００３８】
また、操作者は、撮影準備画面（図４）において、撮影部位を設定するために、所望の撮影方法選択ボタン２０３を押下する。図４の例では、胸部正面の撮影をするため、「胸部  正面」と記載された撮影方法選択ボタン２０３が押下されている。撮影方法選択ボタン２０３を指定することで、撮影パラメータ、画像処理パラメータ、補正処理、ジェネレータ設定のパラメータ、画像サイズがフィルムサイズより大きい場合の切り出し位置のプリセット値（図８に示した切り出し位置のいずれか）が設定される。撮影パラメータの一部は、図４の撮影条件表示部２０２に表示される。また、画像サイズがフィルムサイズより大きい場合の切り出し位置２０６には、撮影方法選択ボタン２０３にプリセットされた値か、設定されていない場合は図５の設定画面で設定された切り出し位置設定ボタン３０４の値が表示される。
【００３９】
パラメータ変更ボタン２０４を押下すると、図示していないパラメータ変更ウインドウが呼び出される。このパラメータ変更ウインドウでは、撮影パラメータ、画像処理パラメータ、補正処理、ジェネレータ設定のパラメータ、画像サイズがフィルムサイズより大きい場合の切り出し位置などのプリセットパラメータを変更することができる。
【００４０】
次に被検者１００４を図１のようにＸ線検出装置１００３の前に立たせて、図示していない昇降部上下ペダルを踏んで昇降部を上下させることにより被検者１００４がＸ線検出装置１００３に対して適切な位置になるようにポジショニングを行う。例えば「胸部  正面」の撮影では、Ｘ線検出装置１００３の上端の顎あてに顎をあてて患者が固定するように調整する。また、Ｘ線管球１０００を前後に移動させることによって、患者と管球管距離を変更したり、対象部位以外にＸ線が照射されないように照射野絞り１００２を調整する。
【００４１】
以上の様に撮影準備が整うと、図１のＸ線検出装置１００３では、Ｘ線撮影制御装置１００６からの固体撮像素子駆動制御信号により、Ｘ線検出装置１００３のセンサを構成する固体撮像素子に電圧が加えられる。固体撮像素子に対して被検者１００４の画像入力がいつ行われてもよい状態となるように準備する。
【００４２】
また、撮影方法選択ボタン２０３に対応する各種プリセットパラメータ（パラメータ変更ウインドウで変更されたプリセットパラメータを含む）は、Ｘ線検出装置１００３、Ｘ線撮影制御装置１００６、Ｘ線発生装置制御部１００１へ転送される。そのため、撮影方法選択ボタン２０３で選択された撮影方法について設定されたパラメータでの撮影が可能な状態になる。
【００４３】
次に操作者は、簡易画像表示装置１００７の近傍に据え付けられているＸ線曝射ボタンを押す。この曝射ボタンはＸ線管球１０００でＸ線を発生させるトリガとなるものであり、操作者がボタンを押下することで曝射信号を発生する。曝射ボタン押下により発生した曝射信号は、Ｘ線撮影制御装置１００６に一旦供給される。これを受けたＸ線撮影制御装置１００６は、固体撮像素子がＸ線管球１０００からのＸ線を受け取ると画像化できる状態となっているか否かを、固体撮像素子から発生する駆動通知信号の状態で確認した後、曝射許可信号を曝射スイッチに対して発生する。この曝射許可信号は、曝射許可スイッチをオンにして、曝射ボタンから発生された曝射信号を、Ｘ線発生装置制御部１００１に供給する。尚、曝射信号は、曝射ボタンのセカンドスイッチを押下したときに発生するものとする。
【００４４】
Ｘ線発生装置制御部１００１は、Ｘ線管球１０００に対して曝射信号を送る。これにより、Ｘ線管球１０００からＸ線が発生する。この時の曝射条件は、撮影方法選択ボタン２０３を押下したときに呼び出されたプリセット値或いは、このプリセット値をパラメータ変更ウインドウにて変更した値にしたがう。Ｘ線発生装置制御部１００１は、照射時間で規定された時間Ｘ線を照射する。但し、選択されたＡＥＣ領域について、Ｘ線発生装置制御部１００１にＡＥＣ装置から取り込まれ積算されたＸ線量信号の総和が、予め決められた一定量になった時は、Ｘ線を遮断する。通常、ＡＥＣ装置によるＸ線量制御を行う場合は、曝射条件として与える照射時間（プリセットパラメータの照射時間）は長めにする。
【００４５】
一方、上述のような曝射を受けた後、Ｘ線管球１０００からのＸ線は、照射野絞り１００２で絞られて、被検者１００４、図示していないグリッド及びシンチレーターを順次透過して、被検者１００４の透過画像として固体撮像素子に結像される。そして、固体撮像素子での光電変換により、画像信号として出力される。この画像信号は、Ａ／Ｄ変換器にてデジタル化され、デジタル信号としてＸ線撮影制御装置１００６に取り込まれる。
【００４６】
次に、照射野領域抽出部４０２で、画像取り込み制御部４０１で取得したデジタル画像において、照射野絞り１００２で絞られた領域を抽出し、その座標をストレージ出力範囲情報メモリ４１１に保持する。照射野の認識方法としては、先に説明したように、照射野絞り１００２から絞り量を得るようにしてもよいし、或いは、周知の画像解析を用いて照射野を認識してもよい。本実施形態では、照射野領域として抽出された矩形の座標がストレージ出力範囲情報メモリ４１１に記録される。
【００４７】
次に画像処理部４０３は、医師の観察に適した階調処理や周波数処理などの様々な画像処理をかけて、Ｘ線撮影画像を簡易画像表示装置１００７に表示するとともに、Ｘ線撮影画像を撮影画像データメモリ４１０へ保存する。ストレージ出力範囲変更部４０４は、必要に応じて図６で示されるストレージ出力範囲変更画面にて操作者により変更されたストレージ出力範囲を受け付ける。ストレージ出力範囲変更部４０４は、抽出された照射野の範囲、或いは操作者により変更された範囲を、ストレージ出力範囲の座標としてストレージ出力範囲情報メモリ４１１に保持する。次に、プリンタ出力範囲判定部４０５は、ストレージ出力範囲情報メモリ４１１より得たストレージ出力範囲と、フィルムサイズ・切り出し位置保持メモリ４０９より得たフィルムサイズを比較する。ここで、ストレージ出力範囲が小さい場合は、ストレージ出力範囲の座標をプリンタ出力範囲情報メモリ４１２へ保持する。フィルムサイズの方が小さかった場合は、フィルムサイズ・切り出し位置保持メモリ４０９より切り出し位置を得て、ストレージ出力範囲内の設定された切り出し位置からフィルムサイズの範囲を切り出す。こうしてプリンタ出力範囲が決定され、プリンタ出力範囲情報メモリ４１２に保持される。
【００４８】
プリンタ出力範囲変更部４０６は、図７の様なプリンタ出力範囲変更画面を呼び出して、操作者がストレージ出力範囲２１７内でのプリンタ出力範囲２３１の変更を行えるようにする。枠移動キー２３２によるプリンタ出力範囲２３１の移動ないし、左上、右下のクリックによる範囲指定等によりプリンタ出力範囲を変更する。なお、この時、フィルムサイズより大きい範囲を指定した場合は、当該指定した範囲内の、設定された切り出し位置でフィルムサイズの範囲が切り出され、プリンタ出力範囲として確定される。プリンタ出力範囲が確定すると、プリンタ出力範囲変更部４０６は、プリンタ出力範囲情報メモリ４１２にその出力座標を保持させる。このようにしてストレージ出力範囲とプリンタ出力範囲がそれぞれ適切に調整され、保持されることになる。なお、図７のプリンタ出力範囲変更画面では、プリンタ出力範囲２３１がストレージ出力範囲２１７内に限定されるため、照射野外や着目部位に無関係な領域を切り出すことがなくなり操作の効率が図れる。
【００４９】
同様にして全ての撮影を行った後、ストレージ出力範囲変更画面（図６）にある撮影終了ボタン２１６が押下される。この時、画像出力部４０７は、撮影画像データメモリ４１０に保持されているＸ線撮影画像とストレージ出力範囲情報メモリ４１１に保持されている座標値からストレージ出力用画像を生成し、これをストレージへ出力する。同時に、撮影画像データメモリ４１０に保持されているＸ線撮影画像とプリンタ出力範囲情報メモリ４１２に保持されている座標値からプリンタ出力用画像を生成し、これをプリンタへ出力する。
【００５０】
次に、以上説明した、出力先毎に最適な出力範囲を設定する本実施形態のＸ線画像出力処理を図１０のフローチャートを用いて説明する。
ステップＳ６０１〜ステップＳ６０３は、抽出された照射野領域、またはＸ線撮影画像からユーザによって選択された部分範囲のいずれかをストレージ１００９への出力範囲に設定する第一決定処理を行う。まず、ステップＳ６０１において、照射野領域抽出部４０２は、画像取り込み制御部４０１が取得したＸ線撮影画像から照射野領域を抽出し、該照射野の座標をストレージ出力範囲としてストレージ出力範囲情報メモリ４１１に保存する。次にステップＳ６０２において、このストレージ範囲を変更するかどうかで処理を分岐する。図６で示されるストレージ出力範囲変更画面にストレージ出力範囲が変更された場合は、ストレージ出力範囲変更部４０４がストレージ出力範囲の変更を行い、変更後の出力範囲の座標をストレージ出力範囲情報メモリ４１１へ保存する（Ｓ６０２，Ｓ６０３）。
【００５１】
次に、ステップＳ６０４〜Ｓ６０８では、プリンタ１００８への出力範囲を決定する第二決定処理が実行される。まず、ステップＳ６０４では、プリンタ出力範囲判定部４０５が、ストレージ出力範囲から求めた出力サイズと選択しているプリンタのフィルムサイズ（プリンタ出力範囲のサイズ）を比較する。ストレージ出力範囲がフィルムサイズ以下（プリンタ出力範囲の画像サイズ以下）の場合は、処理はステップＳ６０９へ進み、ストレージ出力範囲がそのままプリンタ出力範囲に設定されることになる。他方、ストレージ出力範囲の方がフィルムサイズより大きい場合は、処理はステップＳ６０６へ移り、プリンタ出力範囲判定部４０５が、ストレージ出力範囲内の設定されている切り出し位置からフィルムサイズ（プリンタ出力範囲）に相当する範囲の切り出しを行う。なお、ステップＳ６０６では、撮影方法毎に設定されている切り出し位置が用いられるが、撮影方法毎の設定がなされていない場合には、図５に示される出力サイズ設定画面で設定された切り出し位置に基づきフィルム出力範囲が決定される。なお、切り出し位置が「上合わせ」に設定されている場合は、ストレージ出力範囲とフィルムサイズに相当する枠の上端中央を合わせることによって、プリンタ出力範囲が決定される。また、切り出し位置が「左下合わせ」の場合、ストレージ出力範囲とフィルムサイズに相当する枠の左下を合わせることでプリンタ出力範囲が決定される。他の、７つのパターンも同様にしてプリンタ出力範囲を決定することができる。
【００５２】
次に、ステップＳ６０７で、このプリンタ出力範囲を変更するかどうかで処理を分岐する。図６のボタン２１０が押されると、プリンタ出力範囲を変更するとして、処理はステップＳ６０７からステップＳ６０８へ進む。ステップＳ６０８において、プリンタ出力範囲変更部４０６は、図７で示されるプリンタ出力範囲変更画面を簡易画像表示装置１００７に表示し、操作者による出力範囲の変更を受け付ける。そして、プリンタ出力範囲変更部４０６は、操作者により指示された出力範囲の座標をプリンタ出力範囲情報メモリ４１２へ保存する。
【００５３】
図６の画面で撮影終了ボタン２１６が押下されると、処理はステップＳ６０９へ移る。撮影画像データメモリ４１０よりＸ線撮影画像を取得し、ストレージ出力範囲情報メモリ４１１とプリンタ出力範囲情報メモリ４１２より、ストレージ出力範囲及びプリンタ出力範囲を取得し、ストレージ出力用画像、プリンタ出力用画像を生成しそれぞれ出力する。このとき、設定されたプリンタ出力範囲がフィルムサイズより小さい場合は、フィルムの中央に配置されるようにする。以上の手順を、撮影した部位の数分繰り返すことによって、全てのＸ線撮影画像に関し、ストレージ及びプリンタに応じた出力サイズで出力される。
【００５４】
なお、図６の画面で次撮影ボタン２１５が押されると、上述したＸ線撮影画像取得〜画像出力の処理（Ｓ６０１〜Ｓ６０９）が繰り返される。また、図１０のフローチャートでは、プリンタ出力サイズ（設定されたフィルムの最大サイズ）の方がストレージ出力範囲より大きい場合には、プリンタ出力範囲の調整を行わないようになっているが、これに限られるものではない。たとえば、プリンタ出力サイズがストレージ出力範囲より大きい場合であっても、プリンタ出力範囲の調整を行えるように構成してもよい。
【００５５】
また、上記の例では、プリンタ１００８が１台接続され、フィルム種類が１つ設定されているが、プリンタが複数接続されていても、また複数のフィルムに同時に出力する場合も同様の効果が得られる。この場合、図７のプリンタ出力範囲変更画面において、プリンタ種類を切り替えるタブ、フィルム種類を切り替えるタブを設け、それぞれにおいて、プリンタ出力範囲を設定できるようにすればよい。更に、プリンタ出力範囲情報メモリ４１２は、プリンタ種類と、フィルム種類の２次元構造をもつと管理が容易になる。
【００５６】
また第１実施形態では、ライフサイズプリントを行う場合を想定していたが、所定の縮小率で縮小して出力する場合も同様である。この場合、センサ有効サイズとライフサイズでのフィルムサイズと所定縮小率のフィルムサイズの関係を図１１に示す。ここで、ライフサイズでの出力媒体サイズを「Ｗｐｌ、Ｈｐｌ」、所定の縮小率で出力したときの出力媒体サイズを「Ｗｐｒ、Ｈｐｒ」とすると、それらの関係は、式（１）のようになる。
Ｗｐｌ  ＝  ｋ×Ｗｐｒ
Ｈｐｌ  ＝  ｋ×Ｈｐｒ        ・・・（１）
式（１）より縮小率を考えたときの出力媒体サイズ（Ｗｐｒ、Ｈｐｒ）が求まる。第１実施形態において、ライフサイズにおける出力媒体サイズ（Ｗｐｌ、Ｈｐｌ）を、所定の縮小率で出力したときの出力媒体サイズ（Ｗｐｒ、Ｈｐｒ）で置き換えれば第１実施形態と同様の効果が得られる。なお式（１）中の比例定数ｋは、面積縮小率をＲ（％）とすると、下記のように示される。
ｋ＝√（Ｒ／１００）‐（２）
【００５７】
［第２実施形態］
次に、第２実施形態を図１２に示す出力サイズ設定画面、図１３に示す第２実施形態のブロック図、図１４に示す第２実施形態のフローチャートを用いて説明する。
【００５８】
第１実施形態では、ストレージへ転送する画像のサイズに制限がなかったが、実際には、市販される画像ビューワにおいては受け入れられる画像サイズが決まっている場合が多い。特に最大サイズが制限されているケースが多いため、第２実施形態では、図１２の出力サイズ設定画面にて、操作者にストレージ出力範囲の最大出力サイズを設定させる。ここでは、診断ビューワで受け付ける最大画像サイズが２０４８×２０４８ピクセルとした場合の設定を示している。また、撮影部位ごとに、個別に切り出しサイズがプリセットされていてもよい。そして、撮影部位ごとの設定が無い場合には、図１２の出力サイズ設定画面にて設定された最大出力サイズがストレージ出力サイズとなるようにしてもよい。また、設定されたストレージ出力範囲の最大サイズよりも画像サイズが大きい場合の、ストレージ出力範囲の切り出し位置を切り出し位置設定ボタン３０８で設定できる。切り出し位置の選択は、第１実施形態（図８）と同様である。以上の、ストレージ出漁範囲の最大サイズ、切り出し位置の設定は、ストレージ出力サイズ・切り出し位置入力部４２２により入力され、ストレージ出力サイズ保持メモリ４２１に記憶される。
【００５９】
第２実施形態では、第一決定処理が図１４のフローチャートのステップＳ６０１、Ｓ６２０，Ｓ６２１，Ｓ６０２，Ｓ６０３のように改造される。すなわち、まず、ステップＳ６０１において、照射野領域抽出部４０２は、Ｘ線撮影画像の照射野領域を抽出して、該照射野の座標をストレージ出力範囲としてストレージ出力範囲情報メモリ４１１に保存する。次に、ステップＳ６２０において、ストレージ出力範囲判定部４２０は、ストレージ出力範囲情報メモリ４１１に記憶されているストレージ出力範囲とストレージ出力サイズ保持メモリ４２１に記憶されている設定ストレージ出力サイズを比較する。ストレージ出力範囲の方が大きい場合は、処理はステップＳ６２１に進む。ステップＳ６２１において、ストレージ出力範囲判定部４２０は、ストレージ出力範囲から設定したストレージ出力サイズの切り出しを行う。ステップＳ６２１では、ストレージ出力範囲の中で、切り出し位置設定ボタン３０８で設定されている切り出し位置からストレージ出力サイズの範囲を切り出して、これを新たなストレージ出力範囲としストレージ出力範囲情報メモリ４１１へ記憶させる。ストレージ出力範囲のサイズが設定出力サイズ以下の場合は、抽出された照射野領域の全範囲がストレージ出力範囲として使用されることになる。
【００６０】
ストレージ出力範囲変更部４０４では、ステップＳ６０２及びステップＳ６０３を行うが、これは、第１実施形態のステップＳ６０２、ステップＳ６０３と基本的には同様である。ただし、図６ストレージ出力範囲変更画面における変更操作において、左上、右下のように対角２点での範囲指定した場合、ストレージ出力サイズ保持メモリ４２１に記憶されている設定ストレージ出力サイズより小さいかどうかの判定が常に行われる。もし、指定した範囲が設定ストレージ出力サイズより大きい場合は、指定した範囲内の、切り出し位置設定ボタン３０８で設定されている切り出し位置から、ストレージ出力サイズが切り出され、これが新たなストレージ出力範囲として設定される。こうして決定されたストレージ出力範囲がストレージ出力範囲情報メモリ４１１に記憶される。
【００６１】
プリンタ出力範囲判定部４０５は、ステップＳ６０４及びステップＳ６０６の処理を行い、プリンタ出力範囲変更部４０６はステップＳ６０７及びステップＳ６０８の処理を行う。また、画像出力部４０７はステップＳ６０９の処理を行うがこれらは、第１実施形態と同様なため説明を省略する。
【００６２】
以上のように、上記各実施形態によれば、ストレージの出力サイズが決まっている場合でも、ストレージ及び、プリンタそれぞれ最適なサイズの画像範囲の設定が効率よく行える。すなわち、ストレージ、プリンタそれぞれ最適な切り出しが、容易な操作で、照射野外や無関係な領域を切り出すことが無く行えるようになる。
【００６３】
以上、本発明の好ましい実施形態について説明したが、本発明はこれらの実施形態に限定されないことはいうまでもなく、その要旨の範囲内で種々の変形及び変更が可能である。
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
2012055491.tif 000003
【図２】
2012055491.tif 000004
【図３】
2012055491.tif 000005
【図４】
2012055491.tif 000006
【図５】
2012055491.tif 000007
【図６】
2012055491.tif 000008
【図７】
2012055491.tif 000009
【図８】
2012055491.tif 000010
【図９】
2012055491.tif 000011
【図１０】
2012055491.tif 000012
【図１１】
2012055491.tif 000013
【図１２】
2012055491.tif 000014
【図１３】
2012055491.tif 000015
【図１４】
2012055491.tif 000016